(57)【特許請求の範囲】
【請求項１】
ＩＳＤＮ関連装置を接続するための第１及び第２のＵ点インターフェース及び第１及び第２のＳ／Ｔ点インターフェースと、第１及び第２のＯＣＵ部と、第１及び第２のＤＳＵ部と、第１のＵ点インターフェースと第１のＯＣＵ部との接続又は第１のＯＣＵ部を介して第１のＳ／Ｔ点インターフェースと第１のＯＣＵ部との接続を制御可能な第１の開閉回路と、第２のＵ点インターフェースと第２のＯＣＵ部との接続又は第２のＯＣＵ部を介して第２のＳ／Ｔ点インターフェースと第２のＯＣＵ部との接続を制御可能な第２の開閉回路とからなり使用するインターフェースを選択するインターフェース選択部と、前記第１及び第２のＯＣＵ部とそれぞれ送受信ハイウェイにより接続され受信データを送信データに折り返すデータ相互変換処理部と、前記第１及び第２の開閉回路の前記選択の制御及び前記第１及び第２のＯＣＵ部に対する着呼起動／停止の制御を行うＯＣＵ制御部と、を有することを特徴とするＳ／Ｔ点及びＵ点折り返し試験装置。
【請求項２】
前記第１及び第２の開閉回路は、それぞれＵ点インターフェースとＯＣＵ部との間を開閉するリレーと、Ｓ／Ｔ点インターフェースと前記ＯＣＵ部との間をＤＳＵ部を介して開閉するリレーと、を有することを特徴とする請求項１記載のＳ／Ｔ点及びＵ点折り返し試験装置。
【請求項３】
２台のＩＳＤＮ関連装置をＵ点インターフェース又はＳ／Ｔ点インターフェースにそれぞれ接続することにより対向配置し、一方のＩＳＤＮ関連装置からデータを送信し、他方のＩＳＤＮ関連装置で前記データを受信し、データの一致を検出することによりインターフェース試験を行うことを特徴とする請求項１又は２記載のＳ／Ｔ点及びＵ点折り返し試験装置。
【請求項４】
前記ＯＣＵ制御部は、第１及び第２のＯＣＵ部に対しレイヤ１のコマンドを送信し各ＯＣＵ部の送受信ハイウェイのＣｃｈに当該コマンドを挿入することにより発呼起動／停止を制御することを特徴とする請求項１、２又は３記載のＳ／Ｔ点及びＵ点折り返し試験装置。
【発明の詳細な説明】
【０００１】
【発明が属する技術分野】
本発明は、Ｓ／Ｔ点及びＵ点折り返し試験装置に関し、特に、ＩＳＤＮ（Integrated Services Digital Network：サービス総合デジタル網）におけるＳ／Ｔ点又はＵ点インターフェースを備える複数のＩＳＤＮ関連装置を対向接続して互いに折り返し試験を行うためのＳ／Ｔ点及びＵ点折り返し試験装置に関する。
【０００２】
【従来の技術】
ＩＳＤＮ運用システムにおいては、交換機側と加入者側の間のＩＳＤＮ回線に、終端装置として交換機側のＯＣＵ（Office Channel Unit；局内回線終端装置）、加入者側のＤＳＵ（Digital Service Unit；網終端装置）が設けられ、また、加入者側のＤＳＵとアナログ端末との間にＴＡ（Terminal Adapter）が設けられるシステム構成を有しており、ＩＤＳＮ関連装置としてはＯＣＵ−ＤＳＵ間のＵ点インターフェース及び／又はＤＳＵ−ＴＡ間のＳ／Ｔ点インターフェースに接続可能な各種機器が存在する。かかるＩＳＤＮ関連装置（機器）に対する試験においては、計測器を用いた単体試験や装置内での折り返し試験を行うものが知られている。
【０００３】
図２は、特開平１１−２７３４３号公報記載の折り返し試験を可能とした通信装置（ＩＳＤＮ端末）を示す図である。回線インターフェース部３４と回線（Ｓ／Ｔ点インターフェース）との間の装置内に、伝送データを折り返すループバックスイッチ３５を備え、ループバックスイッチ３５をオンにして、通信制御部３１において組み込まれている伝送データの送受信テストプログラムを起動させ、通信制御部３１から送信したデータと折り返されてきたデータとを比較して各ｃｈ等の試験を行う。ループバックスイッチをＦＩＦＯ部３２、フレーミング部３３及び回線インターフェース部３４の間に設け、順次ループバックスイッチをオンとしてテストすることにより異常箇所を特定する。
【０００４】
【発明が解決しようとする課題】
ＩＳＤＮ関連装置のＢ１ｃｈ、Ｂ２ｃｈ及びＤｃｈの送受信試験においては、計測器などを用いて個々のＩＳＤＮ関連装置に対する単体試験を行うものや、図２に示すような装置内での折り返し試験を行うものが知られているが、かかる試験では複数のＩＳＤＮ関連装置を対向させ実際の相互の通信における試験、特にインターフェース試験等を行うことができなかった。また、複数のＩＳＤＮ関連装置を対向して、あるいはＩＳＤＮ関連装置２台を対向して試験を行おうとすると、ＩＳＤＮ公衆回線に被試験装置を接続することは許容されていないことから、試験システムとして交換機側の機能等を満たす大掛かりな設備を使用することが必要であった。
【０００５】
（発明の目的）
本発明の目的は、大掛かりな設備を必要とせず、また、高価な計測器も用意せずに対向させた状態で同時に２台のＩＳＤＮ関連装置の送受信試験を行うことを可能とするＳ／Ｔ点及びＵ点折り返し試験装置を提供することにある。
【０００６】
【課題を解決するための手段】
本発明のＳ／Ｔ点及びＵ点折り返し試験装置は、ＩＳＤＮ関連装置を接続するための複数のＵ点インターフェース及び複数のＳ／Ｔ点インターフェースと、第１及び第２のＯＣＵ部と、Ｕ点インターフェース及びＳ／Ｔ点インターフェースと第１のＯＣＵ部との接続を制御可能な第１の開閉回路（例えば、図１の７、１１、１２）と、他のＵ点インターフェース及びＳ／Ｔ点インターフェースと第２のＯＣＵ部との接続を制御可能な第２の開閉回路（例えば、図１の９、１３、１４）とからなり使用するインターフェースを選択するインターフェース選択部（例えば、図１のリレーブロック回路１７）と、前記第１及び第２のＯＣＵ部とそれぞれ送受信ハイウェイにより接続され受信データを送信データに折り返すデータ相互変換処理部（例えば、図１のデータ変換回路１）と、前記第１及び第２の開閉回路の前記選択の制御及び前記第１及び第２のＯＣＵ部に対する着呼起動／停止の制御を行うＯＣＵ制御部（例えば、図１のＯＣＵ制御回路２、スイッチ３）と、を有することを特徴とする。また、前記インターフェース選択部がＳ／Ｔ点インターフェースの選択時に当該Ｓ／Ｔ点インターフェースと第１又は第２のＯＣＵ部との間に接続される第１及び第２のＤＳＵ部（例えば、図１のＤＳＵ８、９）を有することを特徴とする。前記第１及び第２の開閉回路は、それぞれＵ点インターフェースとＯＣＵ部との間を開閉（接続／切断）するリレーと、Ｓ／Ｔ点インターフェースと前記ＯＣＵ部との間をＤＳＵ部を介して開閉（接続／切断）するリレーと、を有することを特徴とする。
【０００７】
本発明の折り返し試験は、２台のＩＳＤＮ関連装置をＵ点インターフェース又はＳ／Ｔ点インターフェースにそれぞれ接続することにより対向配置し、一方のＩＳＤＮ関連装置からデータを送信し、他方のＩＳＤＮ関連装置で前記データを受信し、データの一致を検出することによりインターフェース試験を行うことを特徴とする。このとき、前記ＯＣＵ制御部は、第１及び第２のＯＣＵ部に対しレイヤ１のコマンドを送信し各ＯＣＵ部の送受信ハイウェイのＣｃｈに当該コマンドを挿入することにより発呼起動／停止を制御することを特徴とする。
【０００８】
より具体的には、本発明のＳ／Ｔ点及びＵ点折り返し試験装置は、データ変換回路１によるデータの相互変換処理部と、ＯＣＵ制御回路２、スイッチ３によるレイヤ１の着呼起動／停止及び回線接続／切断（接続／断）の制御を行うＯＣＵ制御部と、Ｕ点及びＳ／Ｔ点のインターフェース２１〜２４を備えたリレーブロック部１７、スイッチ３によるＵ点あるいはＳ／Ｔ点のインターフェース選択部と、から構成される（図１）。
【０００９】
（作用）
リレーブロック部（１７）に設けられたＵ点又はＳ／Ｔ点のインターフェースに被試験装置である２台のＩＳＤＮ関連装置（１５、１６）を接続し、スイッチ（３）の操作に基づくＯＣＵ制御回路（２）の制御により、リレーの切り替えによる回線接続／切断の制御及びレイヤ１（物理層プロトコル）の着呼起動／停止の制御を行い、ＯＣＵ（５）−データ変換回路（１）−ＯＣＵ（６）を介して、ＩＳＤＮのＵ点インターフェース及びＳ／Ｔ点インターフェースを有する前記ＩＳＤＮ関連装置同士のデータ送受信試験（インターフェース試験）を実施する。
【００１０】
【発明の実施の形態】
次に、本発明のＳ／Ｔ点及びＵ点折り返し試験装置の一実施の形態について図面を参照して詳細に説明する。
【００１１】
（構成の説明）
図１は、本実施の形態の構成を示すブロック図である。
本実施の形態は、ＩＳＤＮ関連装置と接続する複数のＵ点及びＳ／Ｔ点インターフェース２１〜２４を備えるインターフェース選択部としてのリレーブロック回路１７と、ＯＣＵ（＃１）５、ＯＣＵ（＃０）６と、折り返し試験のための制御部４と、スイッチ３とからなり、前記制御部４は、前記ＯＣＵ（＃１）５、ＯＣＵ（＃０）６を介して前記リレーブロック回路１７と接続され、ＩＳＤＮ関連装置からの受信データを受信しデータの相互変換処理を行い送信データとして折り返して送信するデータ変換回路１と、スイッチ３の操作に基づき前記Ｕ点及びＳ／Ｔ点インターフェース２１〜２４とＯＣＵ（＃１）５、ＯＣＵ（＃０）６間の回線接続／切断の制御及びレイヤ１の着呼起動／停止の制御を行うＯＣＵ制御部を構成するＯＣＵ制御回路２と、から構成される。
【００１２】
本実施の形態では、リレーブロック回路１７は、それぞれ２つのＵ点インターフェース２１、２３と、２つのＳ／Ｔ点インターフェース２２、２４とを備える。また、Ｕ点インターフェース２１はリレー（＃１）１１、７を介してＯＣＵ（＃１）５に接続可能に構成されており、Ｓ／Ｔ点インターフェース２２は、リレー（＃１）１２、ＤＳＵ（＃１）（digital service unit）８及びリレー（＃１）７を介してＯＣＵ（＃１）５に接続可能に構成されている。更に、Ｕ点インターフェース２３は、リレー（＃０）１３、９を介してＯＣＵ（＃０）６に接続可能に構成されており、Ｓ／Ｔ点インターフェース２４は、リレー（＃０）１４、ＤＳＵ（＃０）１０及びリレー（＃０）９を介してＯＣＵ（＃０）６に接続されている。
【００１３】
本実施の形態の制御部４内のデータ変換回路１は、ＯＣＵ（＃１）５、ＯＣＵ（＃０）６間に接続され、またＯＣＵ制御回路２は、操作用のスイッチ３、リレー（＃１）１１、１２、リレー（＃０）１３、１４及びＯＣＵ（＃１）５、ＯＣＵ（＃０）６と接続されている。
【００１４】
本発明は、被試験装置２台の間でデータのやり取りを行って正常にデータ伝送が実現されることを試験するものであり、図１に示す実施の形態では被試験装置（＃１）１５及び被試験装置（＃０）１６を２つのＵ点インターフェースにそれぞれ接続した構成例を示している。つまり、通常ＩＳＤＮ関連装置においては、Ｕ点インターフェース又はＳ／Ｔ点インターフェースを具備しており、それぞれのインターフェースにより、Ｓ／Ｔ点及びＵ点折り返し試験装置の対応するＳ／Ｔ点又はＵ点インターフェースと接続して試験を行うことが可能であり、両被試験装置ともＵ点インターフェースを使用した例を示している。
【００１５】
同図において（＃１）、（＃０）の記号は、被試験装置（＃１）１５及び被試験装置（＃０）１６に対応するブロックを示しており、（＃１）、（＃０）を記述していないブロックは共通ブロックである。本実施の形態の各部の構成及び機能は以下のとおりである。
【００１６】
データ変換回路１は、ＯＣＵ（＃０）６の受信ハイウェイのＢ１ｃｈ、Ｂ２ｃｈ、Ｄｃｈデータを送信ハイウェイのデータに変換してＯＣＵ（＃１）５に送出し、逆にＯＣＵ（＃１）５の受信ハイウェイのＢ１ｃｈ、Ｂ２ｃｈ、Ｄｃｈデータを送信ハイウェイのデータに変換してＯＣＵ（＃０）６に送出する機能を有する。ＯＣＵ（＃１）５、ＯＣＵ（＃０）６は、何れもＵ点インターフェース及び送受信ハイウェイを有している。
【００１７】
スイッチ３は操作スイッチであり、被試験装置が本発明のＳ／Ｔ点及びＵ点折り返し試験装置に対して、そのＳ／Ｔ点インターフェース又はＵ点インターフェースのどちらのインターフェースに接続されているのかをＯＣＵ制御回路２に指示する機能を有し、また、ＯＣＵ制御回路２の通信及び試験の制御手順に関する指示を行う機能を有する。
【００１８】
ＯＣＵ制御回路２は、スイッチ３による操作（指示）によりリレー（＃１）１１、１２、リレー（＃０）１３、１４を制御し、被試験装置の接続状態に応じて、Ｕ点インターフェース及びＳ／Ｔ点インターフェースの接続又は切断の制御を行う機能を有し、また、ＯＣＵ（＃１）５、ＯＣＵ（＃０）６に対しレイヤ１の起動／停止等を促すコマンドを同ＯＣＵの送受信ハイウェイのＣｃｈに挿入する機能を有する。更にＯＣＵ制御回路２はスイッチ３による指示に基づいてＳ／Ｔ点及びＵ点折り返し試験装置に対しリセットする機能を有する。
【００１９】
リレー（＃１）１１、１２及びリレー（＃０）１３、１４は、ＯＣＵ制御回路２からの制御によりＵ点インターフェース及びＳ／Ｔ点インターフェースの回線接続／断を行い、被試験装置が接続されたインターフェースのみをＯＣＵに又はＤＳＵを介してＯＣＵに接続する機能を有する。なお、リレー（＃１）７、リレー（＃０）９は、それぞれリレー（＃１）１１、１２及びリレー（＃０）１３、１４の選択に応じて接続されたインターフェース側とＯＣＵ（＃１）５及びＯＣＵ（＃０）６との接続を行う機能を有し、ＯＣＵ制御回路２から直接制御される構成とすることもできる。
【００２０】
（動作の説明）
次に、図１に示す実施の形態により、Ｕ点インターフェースを持った被試験装置の送受信試験の動作について説明する。
【００２１】
最初に、リレーブロック回路１７の動作について説明する。
同図の被試験装置はＵ点インターフェース対応であることから、該被試験装置はリレーブロック回路１７のＵ点インターフェース２１に接続されており、スイッチ３の操作によりＵ点インターフェース２１の使用の選択が指示される。ＯＣＵ制御回路２は、前記選択指示によりリレー（＃１）１１を作動させＵ点インターフェース２１とＯＣＵ５側の線路とが接続され、また、リレー（＃１）１２によりＳ／Ｔ点インターフェース２２はＯＣＵ５側の線路から切り離され、その後リレー（＃１）７はＤＳＵ（＃１）８側の線路を切り離し、ＯＣＵ（＃１）５はリレー（＃１）１１側の線路と接続される。これらの一連の動作は（＃０）系の回路も同じであり、リレー（＃０）１３を作動させＵ点インターフェース２３とＯＣＵ６側の線路とが接続され、また、リレー（＃０）１４によりＳ／Ｔ点インターフェース２４はＯＣＵ（＃０）６側の線路から切り離され、その後リレー（＃０）９はＤＳＵ（＃０）１０側の線路を切り離し、ＯＣＵ（＃０）６はリレー（＃０）１３側の線路と接続される。
【００２２】
ＯＣＵ制御回路２はスイッチ３の操作によりＯＣＵ（＃１）５／ＯＣＵ（＃０）６に対し各種のコマンドを各ＯＣＵの送受信ハイウェイのＣｃｈに挿入し、レイヤ１の起動等の制御を行う。またＣｃｈを監視しレイヤ１の起動／停止を確認している。
【００２３】
以上の設定状態において、被試験装置（＃１）１５からＢ１ｃｈ、Ｂ２ｃｈ及びＤｃｈデータを送信する。被試験装置（＃１）１５から送信された前記データはＯＣＵ（＃１）５で受信され、受信されたデータはデータ変換回路１に送信される。データ変換回路１ではデータを他系（ここでは（＃０））に折り返し、送信データに切り替える。前記送信データはＯＣＵ（＃０）６で受信され、リレー（＃０）９、１３を介して被試験装置（＃０）１６に送信される。被試験装置（＃０）１６は前記送信データを受信することにより、データが正常に受信されたか否かを判定する。
【００２４】
次に、以上のデータの伝送方向とは逆に、被試験装置（＃０）１６からＢ１ｃｈ、Ｂ２ｃｈ及びＤｃｈデータを送信し、前記データはＯＣＵ（＃０）６で受信され、ＯＣＵ（＃０）６は受信したデータを同様にデータ変換回路１に送信する。データ変換回路１では、前記データを他系（ここでは（＃１））に折り返し送信データとして切り替えることによりＯＣＵ（＃１）５に送信され、ＯＣＵ（＃１）５はリレー（＃１）７、１１を介して被試験装置（＃１）１５に送信される。被試験装置（＃１）１５では前記送信データを受信することにより、データが正常に受信されたか否かを判定する。例えば、予め設定した特定のビット配列（ビットパターン）の信号を一方の被試験装置から送信し、データ変換回路から折り返されてきた前記信号を他方の被試験装置で受信し、前記一方及び／又は他方の被試験装置において両者のビット配列を照合することにより一致性を判定する等によりインターフェース試験等を行うことができる。また、一方の被試験装置から他方の被試験装置に対し任意のデータを送信し、前記データを受信した他方の被試験装置は受信した前記データを一方の被試験装置に送信し、前記データを受信した一方の被試験装置は、自ら送信したデータと受信したデータとを比較することにより、一致性を判定する等によりインターフェース試験等を行うことができる。
【００２５】
以上の動作により被試験装置（＃１）１５と被試験装置（＃０）１６とでＢ１ｃｈ、Ｂ２ｃｈ及びＤｃｈデータの送受信が可能となり、被試験装置自体の動作が正常か異常か、インターフェースが正常か否か等の判定を可能とする。試験結果を取得後はスイッチ３の操作によりＯＣＵ制御回路２からレイヤ１の動作の停止、リセット等の制御を行う。
（他の実施の形態）
以上の実施の形態では、２台の被試験装置は何れもＵ点インターフェースを使用してリレーブロック回路１７のＵ点インターフェースと接続して試験を実施する例を説明したが、被試験装置の接続は、当該装置に備わるＳ／Ｔ点インターフェースを使用し、スイッチ３の操作によりリレーの接続／切断を制御することによりそれぞれＤＳＵ（＃１）８、ＤＳＵ（＃０）１０を介してＯＣＵ（＃１）５、ＯＣＵ（＃０）６と接続して試験を行うことが可能である。また、同様にリレーの接続／切断を制御することにより異なるインターフェースを備える被試験装置間での試験を行うことも可能であることは云うまでもない。
【００２６】
【発明の効果】
本発明によれば、ＩＳＤＮ関連装置を対向させた状態でデータ送受信試験を行うことが可能であり、インターフェース試験等を簡略化した構成により実現することが可能である。
【００２７】
本発明によれば、ＤＳＵ部を内蔵させることにより、開閉回路を構成するリレーブロック部を制御するのみでＳ／Ｔ点インターフェース試験時にＤＳＵを外付けの操作をする必要がなく、Ｕ点インターフェース及びＳ／Ｔ点インターフェースを持った被試験装置に対応することが可能である。
【図面の簡単な説明】
【図１】本発明の一実施の形態の構成を示すブロック図である。
【図２】従来の試験機能を有する通信装置を示す図である。
【符号の説明】
１  データ変換回路
２  ＯＣＵ制御回路
３  スイッチ
４  制御部
５、６  ＯＣＵ
７、９、１１、１２、１３、１４  リレー
８、１０  ＤＳＵ
１５、１６  被試験装置
【図１】
0003542036.tif 000002
【図２】
0003542036.tif 000003